(57)【要約】発光面の角度や方向を自由に変更でき、照明域や照度の調整等が容易に行え、影の発生を効果的に抑制しつつ、構造も簡易かつ小型軽量化できる。一面側に発光する面状発光体を備えた中心パネル１０と、一面側に発光する面状発光体を備え、中心パネル１０の発光面と同じ側に発光面を向けて当該中心パネル１０の周囲に配設される４枚の周辺パネル２０ａ〜２０ｄとを備え、中心パネル１０及び周辺パネル２０が、面状発光体に有機ＥＬを用いた有機ＥＬパネルからなり、４枚の各周辺パネル２０ａ〜２０ｄが、隣接する周辺パネル同士が等間隔をもって配置されるとともに、各周辺パネル２０ａ〜２０ｄの発光面が中心パネル１０の発光面に対して角度が可変となるよう、中心パネル１０に移動可能に取り付けられる構成としてある。
2015173851.tif 000002
【特許請求の範囲】
【請求項１】
一面側に発光する面状発光体を備えた中心パネルと、
一面側に発光する面状発光体を備え、前記中心パネルの発光面と同じ側に発光面を向けて当該中心パネルの周囲に配設される複数の周辺パネルと、を備え、
前記複数の周辺パネルが、前記中心パネルの周囲に少なくとも３つ以上備えられ、
前記中心パネル及び周辺パネルが、前記面状発光体に有機ＥＬを用いた有機ＥＬパネルからなり、
複数の各周辺パネルが、
隣接する周辺パネル同士が間隔をもって配置されるとともに、
各周辺パネルの発光面が前記中心パネルの発光面に対して角度が可変となるよう、前記中心パネルに移動可能に取り付けられることを特徴とする無影灯。
【請求項２】
前記有機ＥＬパネルが矩形状であるとき、その中心を通り周端縁に直交する垂直断面において、前記有機ＥＬパネルの周端縁ｐ０から下した垂線と前記有機ＥＬパネルと平行な照射面との交点をｐ１とし、前記照射面の中心点における照度に対して１０％の照度を示す前記照射面上の点をｐ２とし、∠ｐ１ｐ０ｐ２を集光角θと定義したときに、前記集光角θが３０°以下となるように、前記有機ＥＬからの照明光の照度分布を制御した請求項１に記載の無影灯。
【請求項３】
前記周辺パネルにおける前記集光角θが１５°以下である請求項２に記載の無影灯。
【請求項４】
前記有機ＥＬの平均演色評価数が９０以上である請求項１〜３のいずれか一項記載の無影灯。
【請求項５】
前記有機ＥＬの色温度が４，０００〜４，５００Ｋである請求項１〜４のいずれか一項記載の無影灯。
【請求項６】
前記複数の周辺パネルが、前記中心パネルの周囲に等間隔に配置される請求項１〜５のいずれか一項記載の無影灯。
【請求項７】
前記複数の周辺パネルが、前記中心パネルの周囲に等間隔に配置される４枚の周辺パネルからなる請求項１〜６のいずれか一項記載の無影灯。
【請求項８】
前記中心パネルを支持する支持手段を備え、
この支持手段を介して、前記中心パネルが任意の三次元方向に移動可能に支持される請求項１〜７のいずれか一項記載の無影灯。
【請求項９】
前記中心パネル及び周辺パネルの少なくとも一部が、飛散防止部材により覆われている請求項１〜８のいずれか一項記載の無影灯。
【請求項１０】
前記中心パネル及び周辺パネルの少なくとも一部が、放熱部材により覆われている請求項１〜９のいずれか一項記載の無影灯。
【発明の詳細な説明】
【技術分野】
【０００１】
本発明は、歯科治療用や医療手術用などの照明として使用される無影灯に関する。
【背景技術】
【０００２】
一般に、歯科治療や医療手術等の現場では、患者の口腔内や施術部位、医師の手元などを照らす照明手段として無影灯が用いられている。
無影灯は、照明領域に医師の手などの影が生じないようにする特殊な照明器具として、歯科治療や外科手術などの医療現場等で広く用いられている。【０００３】
図１４に、歯科治療用設備に備えられる無影灯の外観を概略的に示す。
同図に示すように、無影灯１０１は、歯科治療用設備１００に横臥して歯科治療を受ける患者の口腔内や歯科治療を行う歯科医師の手元などを照らすように、棒状の支持部材等を介して歯科治療用設備１００の上方に配置され、歯科医師の操作によって移動されつつ、患者の任意の箇所・部位を無影状態で照明するようになっている。【０００４】
また、図１５に、美容用（理容用）として使用される無影灯の外観を概略的に示す。
同図に示すように、無影灯１０１は、美容室や理容室等において、椅子などに着席した顧客の頭髪や顔面、美容師（理容師）の手元などを照らすように、棒状の支持部材等を介して移動可能に配置され、美容師等の操作によって任意に移動されて、顧客の任意の箇所・部位を無影状態で照明できるようになっている。【０００５】
この種の無影灯に関する技術としては、例えば特許文献１−３に提案されているものが知られている。
特許文献１には、有機ＥＬ装置からなる光源を凹面状に形成した無影灯が提案されている。
特許文献２には、複数枚の有機ＥＬパネルを横一列に連設してコの字状に折り曲げ可能に構成した無影灯が提案されている。
また、特許文献３には、ハロゲンランプからなる光源と、遮光板，反射ミラー，透明ガラス等の各部を備えた無影灯が提案されている。
【先行技術文献】
【特許文献】
【０００６】
【特許文献１】特開２００５−３２２６０２号公報
【特許文献２】特開２０１１−３６５４８号公報
【特許文献３】特開２０１１−２５４９６０号公報
【発明の概要】
【発明が解決しようとする課題】
【０００７】
しかしながら、特許文献１−３に提案されているような従来の無影灯では、以下のような問題があった。
まず、特許文献１，２に提案されている無影灯では、発光面が一方向（横方向）に伸びる凹面状やコの字状に固定されているため、例えば歯科治療を受ける患者の口の大きさ等に合致させた上下左右方向の最適な照明域（光野径）を容易にコントロールすることができず、また、患者の患部に最適な照度もコントロールすることができないという問題があった。
また、一方向（横方向）のみに固定された発光面は、医師等が、発光面を任意の角度や方向（左右回転、上下回転）に自由に動かすことは困難で、例えば手術部位に適切な光を照射させるように調整等することができず、また、影の発生を十分に抑制することも困難であった。【０００８】
また、特許文献３に提案されているハロゲンランプ等からなる光源を備えた無影灯でも、発光面の形状・構成が固定されたものとなっており、上述した特許文献１，２と同様の問題を有していた。
また、ハロゲンランプを光源とする無影灯では、可視光以外に赤外線や紫外線が発光されるために、これらを除去するためのフィルターやランプ構造等が必要であり、また、レフューザーにより光を拡散させて柔らかい光にして患者の負担を軽減する必要もあった。このため、構造が複雑で大型化してしまい、重量も増大するという問題が発生した。
さらに、ハロゲンランプを光源とするために発熱量も高くなり、操作性や取り扱いに難があり、また、患者等への負担も増加するという問題があった。【０００９】
本発明は、上記の事情に鑑みてなされたものであり、発光面の角度や方向を自由に変更でき、照明域や照度の調整等が容易に行え、影の発生を効果的に抑制しつつ、構造も簡易かつ小型軽量化でき、患者等に与える負担も大幅に低減乃至除去することができる無影灯の提供を目的とする。
【課題を解決するための手段】
【００１０】
本発明に係る無影灯は、一面側に発光する面状発光体を備えた中心パネルと、一面側に発光する面状発光体を備え、中心パネルの発光面と同じ側に発光面を向けて当該中心パネルの周囲に配設される複数の周辺パネルと、を備え、複数の周辺パネルが、中心パネルの周囲に少なくとも３つ以上備えられ、中心パネル及び周辺パネルが、面状発光体に有機ＥＬを用いた有機ＥＬパネルからなり、複数の各周辺パネルが、隣接する周辺パネル同士が間隔をもって配置されるとともに、各周辺パネルの発光面が前記中心パネルの発光面に対して角度が可変となるよう、中心パネルに移動可能に取り付けられる構成としてある。
【発明の効果】
【００１１】
本発明によれば、無影灯の発光面の角度や方向を自由に変更することができ、照明域や照度の調整等が容易に行え、影の発生も効果的に抑制できる。また、無影灯の構造自体も簡易かつ小型軽量化することができ、患者等に与える負担も大幅に低減乃至除去することができる。
【図面の簡単な説明】
【００１２】
【図１】本発明の一実施形態に係る無影灯の発光面側から見た正面図であり、中心パネルに対して複数の周辺パネルをほぼ１８０度展開させた状態を示している。
【図２】本発明の一実施形態に係る無影灯の発光面側から見た正面図であり、（ａ）は中心パネルに対して複数の周辺パネルを内側（正面側）折り曲げてほぼ９０度近くまで起立させた状態、（ｂ）は同じく周辺パネルを外側（背面側）に曲げてほぼ９０度近くまで起立させた状態を示している。
【図３】本発明の一実施形態に係る無影灯の発光面側から見た斜視図であり、（ａ）は中心パネルに対して複数の周辺パネルを展開させた状態、（ｂ）は同じく周辺パネルを折り曲げた状態を示している。
【図４】本発明の一実施形態に係る無影灯の斜視図であり、（ａ）は背面側下方から見た図、（ｂ）は真上から見た図を示している。
【図５】本発明の一実施形態に係る無影灯と使用者（施術者、患者）の位置関係を模式的に示す説明図である。
【図６】本発明の一実施形態に係る無影灯の周辺パネルを折り曲げて使用する場合の態様を示す斜視図であり、（ａ）は４枚の周辺パネルを正面側にほぼ９０度に起立させて筒状として患者の口周りを照射した状態、（ｂ）は１枚の周辺パネルを背面側に折り曲げて、無影灯を患者の胸部の上に位置させて口腔内等を照射した状態を示している。
【図７】本発明の一実施形態に係る無影灯において、有機ＥＬからの照明光の照度分布を制御する際の集光角θを示す説明図である。
【図８】本発明の一実施形態に係る無影灯と従来の無影灯による照明領域の対比を示す説明図であり、（ａ）は本発明の一実施形態に係る無影灯の照明領域、（ｂ）は従来の無影灯の照明領域を示している。
【図９】本発明の一実施形態の変形例に係る無影灯の発光面側から見た正面図であり、中心パネルの発光面の周囲にＬＥＤが備えられる場合を示している。
【図１０】本発明の一実施形態の変形例に係る無影灯の発光面側から見た正面図であり、（ａ）は中心パネルの筐体に内蔵されたカメラが備えられる場合、（ｂ）は中心パネルの筐体外部に外付けのカメラが備えられる場合を示している。
【図１１】本発明の一実施形態の変形例に係る無影灯の斜視図であり、中心パネルのハンドル部としても使用される外付けのカメラが備えられる場合を示しており、（ａ）は正面側から見た図、（ｂ）は背面側から見た図を示している。
【図１２】本発明の一実施形態の変形例に係る無影灯の発光面側から見た正面図であり、（ａ）は周辺パネルの発光面を複数の面状発光体で構成する場合、（ｂ）は中心パネルの形状を三角形状とした場合を示している。
【図１３】本発明の一実施形態の変形例に係る無影灯の発光面側から見た正面図であり、（ａ）は中心パネルの形状を円形状とした場合、（ｂ）は同じく五角形状とした場合を示している。
【図１４】歯科治療用設備に備えられる無影灯を概略的に示す外観斜視図である。
【図１５】美容用／理容用として使用される無影灯を概略的に示す外観斜視図である。
【発明を実施するための形態】
【００１３】
以下、本発明に係る無影灯の実施形態について説明する。
図１は、本発明の一実施形態に係る無影灯１の発光面側から見た正面図であり、中心パネルに対して複数の周辺パネルをほぼ１８０度展開させた状態を示している。
図２は、同じく本実施形態に係る無影灯１の正面図であり、（ａ）は複数の周辺パネルを内側（正面側）に折り曲げてほぼ９０度近くまで起立させた状態、（ｃ）は同じく周辺パネルを外側（背面側）にほぼ９０度折り曲げた状態を示している。
また、図３は、本実施形態に係る無影灯１の発光面側から見た斜視図であり、（ａ）は中心パネルに対して複数の周辺パネルを展開させた状態、（ｂ）は同じく周辺パネルを折り曲げた状態を示している。
さらに、図４は、同じく本実施形態に係る無影灯１の斜視図であり、（ａ）は背面側下方から見た図、（ｂ）は真上から見た図を示している。
【００１４】
［無影灯］
これらの図に示す無影灯１は、例えば歯科治療用や医療手術用等として使用される照明器具・照明手段であって、本実施形態では、一つの中心パネル１０と、複数の周辺パネル２０（２０ａ〜２０ｄ）とを備えて構成されている。
中心パネル１０は、無影灯１の中心位置に配置される一つ（１枚）の面状発光パネルによって構成されている。
周辺パネル２０は、中心パネル１０の発光面と同じ側に発光面を向けて配置され、中心パネル１０の周囲に配設される複数（４枚）の面状発光パネルによって構成されている。
【００１５】
本実施形態では、中心パネル１０と周辺パネル２０は、ほぼ同形・同大の同様の構成からなる面状発光パネルによって構成されており、各面状発光パネルが一体的に組み立てられて一つの無影灯１を構成している。
具体的には、図１〜３に示すように、各面状発光パネルは、ほぼ正方形の矩形状に形成されたパネル筐体１１，２１に、一面側に面状発光体１２，２２の発光面を備えた構成を一単位として、この矩形状の面状発光パネルが、中心に一つの中心パネル１０、中心パネル１０の四辺各辺に隣接して四つの周辺パネル２０として配置され、五つのパネルが一体的に連結されて構成されている。
なお、各パネル筐体１１，２１には、図示しない電源ケーブル等が接続・配線され、面状発光体１２，２２の発光に必要な電力が供給されるようになっている。
【００１６】
また、本実施形態では、中心パネル１０及び周辺パネル２０を構成する面状発光パネルは、面状発光体１２，２２に有機ＥＬを使用した、照明用の有機ＥＬパネル（有機ＥＬ照明）によって構成されている。
中心パネル１０・周辺パネル２０を構成する面状発光パネルとして照明用の有機ＥＬパネルを用いることにより、有機ＥＬ照明の特徴である眩しくない光により、照明光を受ける患者等が照明器具を直視できるというメリットが得られる。
また、有機ＥＬ照明は、薄く小型軽量化でき、消費電力や発熱も少なく、医療用等の照明器具として好適である。
【００１７】
また、複数の周辺パネル２０は、中心パネル１０の周囲に少なくとも３つ以上備えられるようになっており、本実施形態では、図１に示すように、中心パネル１０の周囲に、４つの周辺パネル２０ａ，２０ｂ，２０ｃ，２０ｄが備えられている。
但し、周辺パネル２０は、中心パネル１０の周囲に少なくとも３つ備えられていればよく、例えば、３つの周辺パネルや、４つ以上の周辺パネルを備えることもできる（後述する図１２，１３参照）。
【００１８】
そして、複数配設される各周辺パネル２０は、隣接する周辺パネル同士が間隔をもって配置されるようになっている。本実施形態では、４枚の周辺パネル２０ａ〜２０ｄが、中心パネル１０の周囲に等間隔（９０度間隔）に配置されるようにしてある。
このように、複数の周辺パネル２０が中心パネル１０の周囲に等間隔に配置されることで、中心パネル１０を中心として周辺パネル２０がバランスよく均等に配置されることになり、複数の周辺パネル２０からの照明光が、均一に満遍なく照射・発光されて、無影の照明領域が形成できるようになる。
【００１９】
また、複数の周辺パネル２０が互いに間隔をもって配置されることにより、隣接する周辺パネル同士の間に空間が存在することになり、無影灯１を使用する医師や施術者・看護師などの使用者が、周辺パネル２０と干渉することなく位置取りできるようになる。
従って、図５に示すように、複数の使用者で同時に無影灯１を使用しても無影灯１が使用者に当接したり邪魔になったりすることがなくなる。
図５は、本実施形態に係る無影灯１と使用者（医師・手術者・患者等）の位置関係を模式的に示した図である。
この図に示すように、複数の使用者は、周辺パネル２０が存在しない空間に位置することができ、これによって、周辺パネル２０が大きく展開された状態においても、無影灯１と干渉したり衝突したりすることなく、手術等の作業を円滑に行えるようになる。
【００２０】
また、本実施形態に係る無影灯１では、複数の各周辺パネル２０が、それぞれの発光面が中心パネル１０の発光面に対して角度が可変となるよう、中心パネル１０に移動可能に取り付けられるようになっている。
具体的には、本実施形態では、中心パネル１０のパネル筐体四辺の各辺と、周辺パネル２０のパネル筐体四辺の中心パネル１０と隣接する一辺とが、ヒンジを介して回動・折り曲げ可能に連結されるようになっている。
このように複数の周辺パネル２０が、中心パネル１０に対して回動可能・折り曲げ可能に設けられることにより、周辺パネル２０を中心パネル１０に対して任意の角度で起立・展開させることができ、周辺パネル２０の発光面から照射される照射光の向きや角度，範囲などを自由に調整・変更することができる。
【００２１】
ここで、周辺パネル２０の中心パネル１０に対する移動可能な範囲として、本実施形態では、周辺パネル２０が中心パネル１０と発光面がほぼ同一平面（所謂面一）となるよう１８０度に展開された状態（図１に示す状態）から、周辺パネル２０の発光面が、中心パネル１０の発光面に対してほぼ９０度となるように起立された状態（図２（ａ）に示す状態）の範囲で、任意の角度で移動・停止できるように構成してある。
また、周辺パネル２０は、発光面と逆方向、すなわち無影灯１の背面側にも折り曲げることができる。例えば、図２（ｂ）に示すように、周辺パネル２０の発光面が、中心パネル１０の発光面と反対の背面に対してほぼ９０度となるように折り曲げて起立できる範囲で、任意の角度で移動・停止できるように構成することができる。
【００２２】
このように周辺パネル２０を中心パネル１０に対して折り曲げ・回動可能とすることで、例えば図６（ａ）に示すように、４枚の周辺パネル２０を中心パネル１０の発光面に対してほぼ９０度となるように起立された状態（図２（ａ）に示す状態）とすることで、無影灯１の光を直接的に患者に照射することができる。
また、例えば図６（ｂ）に示すように、患者側に位置する下側の一枚の周辺パネル２０を正面側と反対に折り曲げることで、折り曲げた周辺パネル２０を患者の胸部等に接触・載置させることができ、無影灯１を可能な限り患者に近づけて使用することできる。これによって、より明るい状況で患者の口の中等を容易に観察することができ、しかも、患者には眩しさを感じさせることがなく、また、発光による熱さも与えることもない。
【００２３】
さらに、図６に示したように、周辺パネル２０を無影灯１の正面側や背面側に折り曲げて使用することで、患者の顔周辺を無影灯１によって取り囲むことができ、例えば口腔内の治療中に患者の口内からでてしまう歯の欠片などの飛散物が飛び散るのを、周辺パネル２０や中心パネル１０によって防止することができる。
この場合には、口内からの飛散物による汚れを防止するために、中心パネル１０や周辺パネル２０の発光面を汚れ防止シートで被覆したり、中心パネル１０や周辺パネル２０を汚れ防止用の袋などでカバーして覆うようにすることができる。従って、中心パネル１０や周辺パネル２０は、少なくとも一部が、汚れ防止用のシートや袋等の飛散防止部材により覆われていればよい。
【００２４】
以上のように、複数の周辺パネル２０を、中心パネル１０に対して所定の範囲で折り曲げ・回動可能とすることにより、周辺パネル２０の角度を移動・変更することができ、無影灯１の照射領域を適切に調整・設定することができ好ましい。
但し、周辺パネル２０は、上述した以外の範囲に移動可能となるよう構成することも勿論可能である。なお、周辺パネル２０は、本実施形態ではヒンジ構造によって中心パネル１０に対して移動可能に構成されているが、周辺パネル２０が移動・折り曲げ可能である限り、特にヒンジ構造のみに限定されるものではない。
【００２５】
そして、以上のような構成からなる本実施形態の無影灯１は、図３に示すように、支持部３０によって支持され、使用者の操作によって任意の位置に移動できるようになっている。
支持部３０は、無影灯１の中心パネル１０を支持する支持手段であり、本実施形態では、中心パネル１０の発光面と反対側の背面側に支持部３０が取り付けられ、支持部３０を介して、中心パネル１０が任意の三次元方向に移動可能に支持されるようになっている。
具体的には、図３，４に示すように、支持部３０は、中心パネル１０のパネル筐体１１の背面に取り付けられる背面アーム部３１と、この背面アーム部３１から中心パネル１０の前面（発光面）側に湾曲状に伸びるハンドル部３２と、背面アーム部３１が取り付けられる支柱部３３とを備えている。
【００２６】
背面アーム部３１は、一端側が、回動機構を介して中心パネル１０のパネル筐体１１の背面に取り付けられる棒状部材であり、回動機構を介して、中心パネル１０の背面に対してほぼ１８０度の範囲で回動でき、任意の位置で停止されるようになっている。
背面アーム部３１の他端側は、回動機構を介して支柱部３３に回動可能に連結されるようになっている。
この背面アーム部３１の一端側と他端側の回動機構は、回動方向が互いに交差（直交）するように設定されており、この二つの回動機構によって、背面アーム部３１が取り付けられた中心パネル１０は、任意の３次元方向に移動できるようになる。
【００２７】
ハンドル部３２は、中心パネル１０の背面側において背面アーム部３１と固定的に接続されて、中心パネル１０の前面側まで湾曲状に伸びる棒状部材である。
このハンドル部３２が使用者によって把持・操作されることで、中心パネル１０が所望の位置まで移動できるようになっている。
本実施形態では、図３，４に示すように、ハンドル部３２は、使用者が把持・操作し易いように、中心パネル１０の背面側から、パネル下側に湾曲状に突出するように設けられている。
【００２８】
支柱部３３は、一端側が背面アーム部３１に連結され、他端側が図示しない医療用等のベッドや椅子，床，天井などに固定される棒状部材である（図１４，１５参照）。
この支柱部３３の背面アーム部３１との連結部分は、回動機構を介して回動可能となっており、上述の通り、背面アーム部３１が取り付けられた中心パネル１０が、任意の３次元方向に移動できるようになっている。
なお、支柱部３３は、詳細な図示は割愛してあるが、１本又は複数本の棒状部材等で構成され、中心パネル１０（無影灯１）が所定の移動範囲内で移動できるように十分な長さが確保されるようになっている。また、そのような支柱部３３の長さは、適宜調整・変更ができるように構成することができる。
【００２９】
以上のような支持部３０によって中心パネル１０が移動可能に支持されることにより、無影灯１は、任意の３次元方向に移動可能で、患者等の照明対象に対する距離調整が自由に行えるようになる。
これによって、歯科治療用，医療手術用，美容・理容用等の照明器具・照明手段として好適に使用できるようになる。
例えば、歯科治療の場合、光源と患部の距離は０〜６００ｍｍ程度であるところ、本実施形態の無影灯１は、支持部３０によって、無影灯１を患部に直接的に近接させて使用できるようになる。
また、このように患者の患部等に近接させた場合にも、上述したように複数の周辺パネル２０は、互いに間隔を置いて配設されており、周辺パネル同士が結合されていないことから、施術・手術等の邪魔になることなく、患部等を効果的に無影状態で照らすことができるようになる。
【００３０】
［要求性能］
以上のような構成からなる本実施形態に係る無影灯１の光源となる有機ＥＬパネルに望まれる性能としては、（１）無影性，（２）グレアレス（グレアが無い），（３）無熱性，（４）演色性，（５）軽量性，（６）色温度，（７）照度，（８）配光性，（９）安全性の各要素がある。
本実施形態では、これらの要求性能を満たす有機ＥＬパネルを使用して、中心パネル１０・周辺パネル２０を形成するようにしている。
【００３１】
（１）無影性
無影性は、手術作業への影響を減らすために影を生じさせないためのもので、歯科・外科手術時の要請によるものである。
本実施形態の無影灯１は、中心パネル１０と周辺パネル２０に有機ＥＬを用い、周辺パネル２０を可動させることにより、より優れた無影性を達成している。
さらに、無影灯１の無影性をより優れたものとするには、中心パネル１０及び周辺パネル２０に用いる有機ＥＬからの照明光の中心照度がより高くなるように、その照度分布を制御するのが好ましい。例えば、有機ＥＬパネルが矩形状であるとき、その中心（対角線の交点）を通り周端縁に直交する垂直断面において、図７に示すように、有機ＥＬパネルＰＯＥＬの周端縁ｐ０から下した垂線と有機ＥＬパネルＰＯＥＬと平行な照射面Ｐとの交点をｐ１とし、照射面Ｐの中心点Ｏ（有機ＥＬパネルＰＯＥＬの中心から下した垂線と照射面Ｐとの交点）における照度（中心照度）に対して１０％の照度を示す照射面Ｐ上の点をｐ２とし、∠ｐ１ｐ０ｐ２を集光角θ（点Ｐ２が点ｐ１よりも中心点Ｏ側にあるとき、集光角θは負の値を示す）と定義したときに、かかる集光角θが３０°以下となるように、有機ＥＬからの照明光の照度分布を制御するのが好ましい。中心パネル１０に用いる有機ＥＬからの照明光の照度分布と、周辺パネル２０に用いる有機ＥＬからの照明光の照度分布は、同様に制御されもよいが、中心パネル１０よりも周辺パネル２０の方が、より集光角θが小さくなるように照度分布を制御するのが好ましい。例えば、周辺パネル２０にあっては、有機ＥＬからの照明光の集光角θが１５°以下となるようするのが好ましい。
有機ＥＬからの照明光の照度分布を制御するには、有機ＥＬパネルが発する光の出射特性を制御することによってもよいが、一般にプリズムシート、レンズシートなどと称される集光性のシート材を用いて、有機ＥＬパネルの周端縁よりも外側に向かって出射する光を中心側に集めて中心照度が高くなるように、その照度分布を制御するようにしてもよい。
【００３２】
（２）グレアレス
グレアレスは、顔面（目の前）に近接しても（０〜１００ｍｍ以内まで近づけても）眩しくないことであり、本実施形態の無影灯１は、グレアレスに優れている。
【００３３】
（３）無熱（低熱）性
無熱性は、手術者・患者の負担を緩和、手術部位の乾燥を防ぐために、できるだけ低温で光を供給することが望ましい。
具体的には、輻射熱、放射熱の目安としては、１，０００Ｗ／平方メートル以下が望ましく、また、この値は、外科でも歯科でも同じ程度が好ましい。
また、照明装置自体の熱の発生を防ぐために、有機ＥＬパネルを放熱部材により覆うことができる。例えば、有機ＥＬパネルの発光面をカーボン塗料などの放熱塗料を用いて被覆したり、有機ＥＬパネルに放熱用の金属板を貼り付けたり、あるいは、ヒートシンクのような放熱手段を用いることもできる。
本実施形態の無影灯１でも、有機ＥＬパネルのパネルガラス面付近の熱の程度は約３０℃以下とすることができ、更にカーボン塗料を用いることにより、より効果のある無熱（低熱）性を達成している。
このように、無熱（低熱）性の点からは、中心パネル１０及び周辺パネル２０は、少なくとも一部が、放熱部材により覆われていることが好ましい。
【００３４】
（４）演色性
演色性は、ランプなど発光する道具・装置が、ある物体を照らしたときに、その物体の色の見え方に及ぼす光源の性質を言い、手術部位の色をより正確に把握するためには、より自然光に近い光が好ましい。口腔外科でも、演色性が必要となっている。ホワイトニング、差歯等において重要なファクターとなっている。
この演色性（平均演色評価数）は９０以上が望ましい。本実施形態の無影灯１でもこの要求性能は満たされている。
【００３５】
（５）軽量性
軽量性は、照明装置の操作性を考慮し、照明器具全体で２ｋｇ程度が望ましい。
本実施形態の無影灯１では、中心パネル１０・周辺パネル２０の５枚の面状発光パネル＋背面アーム部３１・ハンドル部３２の合計で、２ｋｇ以下の重量を達成しており、優れた操作性を示している。
【００３６】
（６）色温度
色温度は、例えば手術を行う医師・手術者等によって異なるが、有機ＥＬの場合には４．０００〜４，５００Ｋ（ケルビン）が最も良好である。
この値の範囲内であれば、手術を行うほぼ全ての医師・手術者（医師）にとって問題ない値となる。一方、３，０００Ｋでは黄色過ぎ、５，０００Ｋでは白過ぎてしまい不適当である。
従って、本実施形態の無影灯１では、色温度がこの範囲となるように設定されるようになっている。
【００３７】
（７）照度
照度は、平面状の物体に照射された光の明るさを表す心理的な物理量で、単位面積あたりに照射された光束と等しい。そして、例えば患者の歯が十分な照度でなければ、手術者（医師）は適切な作業を行うことができない。
これも歯科・外科手術時の要請であり、従って、本実施形態の無影灯１でも、十分な照度が得られている。
【００３８】
（８）配光性
配光性は、本発明の目的を達成する範囲で構わないが、狭角〜広角に対応できるように、周辺パネルの角度を変更することができる。また、有機ＥＬ自体の角度依存性を抑制することにより、より良好な配光性を達成することができる。
【００３９】
（９）安全性
無影灯は医療現場で用いられることから、医師、患者等に対してより安全である必要がある。有機ＥＬ照明はその構造上ガラス基板を用いており、また本発明による無影灯は、患者の近傍、場合によっては患者に接して用いることもあり、偶然用具等が有機ＥＬに接触することにより、ガラス基板を破損する可能性もある。
本実施形態の無影灯１では、ガラス飛散防止用のシートを用いており、ガラス破損による不慮の事故を防止している。
【００４０】
以上のような性能要求を満たす有機ＥＬを光源に用いることで、本実施形態に係る無影灯１は、照射領域における無影性が確保されつつ、眩しさや発熱による患者への影響を低減乃至抑制し、また、医師・手術者の作業性を向上させる演色性・色温度・照度が得られ、かつ、無影灯１の軽量化により移動操作等も円滑に行えるようになっており、ガラス破損による事故防止も図っている。
さらに、本実施形態の無影灯１では、照明器自体の厚さを１５ｍｍ以内とすることができ、より好ましく１０ｍｍ以内にすることもできる。この厚さは、さらに薄くすることもできるが、強度等を考慮して、３ｍｍ以上、より好ましくは５ｍｍ以上にする必要がある。このような厚さであれば、周辺パネル２０の折り曲げ角度を０度として、中心パネル１０と水平にすることにより、収納・運搬等を容易に行うこともできる。
【００４１】
図８に、本実施形態に係る無影灯と従来の無影灯による照明領域の対比を示す。
同図（ａ）は本実施形態に係る無影灯１の照明領域であり、同図（ｂ）は従来の無影灯（図１４，１５参照）の照明領域を示している。
これらの図に示すように、従来の無影灯１０１では、医師等の手の影が照明領域にはっきりと現れてしまうのに対して、本実施形態に係る無影灯１では、照明領域に医師等の手の影が現れることはなく、無影性が確実に保証されるようになっている。
【００４２】
［変形例］
以下、上述した本実施形態に係る無影灯１の変形例について、図９〜１３を参照しつつ説明する。
図９は、本実施形態の変形例に係る無影灯１の発光面側から見た正面図であり、中心パネル１０の発光面（面状発光体１２）の周囲にＬＥＤ１３が備えられる場合を示している。
同図に示すように、本実施形態の無影灯１は、中心パネル１０の周囲に、補助的な光源として複数のＬＥＤ１３を配置してある。これによって、中心パネル１０及び周辺パネル２０を補助・補完する光源としてＬＥＤ１３の照射光を利用することができ、より明るく、より影のない無影灯１を提供することができる。
【００４３】
無影灯１が使用される例えば歯科治療の場面では、特にインプラント手術などでは、患者の口内や歯科医師の手元をできる限り明るく照らすことが要請される。また、このような場合、施術部位などの特定箇所をピンポイント的に照明できることがより望ましく、指向性のある光源が特に望ましい。
そこで、本実施形態に係る無影灯１では、中心パネル１０及び周辺パネル２０を補助する光源として、指向性を有する光源となるＬＥＤ１３を採用し、中心パネル１０の発光面の周囲に配設することができる。これによって、より明るく、より信頼性，利便性等に優れた無影灯１を実現することができる。
【００４４】
ここで、図９に示す例では、矩形環状に形成された筐体１３ａに複数のＬＥＤ１３が均等に配置された別部品として構成され、図１〜４に示した無影灯１の中心パネル１０に対して着脱可能に取り付けられるようになっている。
このように構成することで、無影灯１の基本構成を変更することなく、ＬＥＤ１３を無影灯１に対してオプションとして装着することができる。また、必要に応じてＬＥＤ１３を取り付けたり外したりすることができるため、無影灯１の使い勝手や汎用性を向上させることができる。
但し、中心パネル１０のパネル筐体１１に対して、ＬＥＤ１３を一体的に組み込んで構成することも可能である。
【００４５】
また、補助光源として備えられるＬＥＤ１３は、満遍なくムラのない照射光を得る観点から、中心パネル１０の発光面（面状発光体１２）の周囲に、複数のＬＥＤ１３がほぼ等間隔に配置されるようにすることが好ましい。このため、図９に示す例では、中心パネル１０の矩形四辺の各辺に沿って、それぞれ５つのＬＥＤ１３が均等に配置されるように構成されている。
但し、ＬＥＤ１３は、中心パネル１０の各辺に６つ以上、あるいは４つ以下のＬＥＤ１３を配置することも勿論可能である。また、中心パネル１０の周囲四辺のうち、特定の辺にのみＬＥＤ１３を備えることもできる。また、ＬＥＤ１３の大きさや形態，発光色などは特に限定されない。
さらに、周辺パネル２０についても、上記のようなＬＥＤ１３を同様に配設することも可能である。
【００４６】
図１０は、本実施形態の変形例に係る無影灯１の発光面側から見た正面図であり、（ａ）は中心パネル１０に筐体に内蔵されたカメラ４０が備えられる場合、（ｂ）は中心パネル１０の筐体外部に外付けのカメラ４０が備えられる場合を示している。
同図に示すように、本実施形態の無影灯１は、例えばＣＣＤカメラ等からなるカメラ（撮像手段）４０を備えることができる。
このようなカメラ４０を備えることで、例えば手術中の患者の顔や患部の様子を撮影して、外部に出力・表示することができ、また、撮像データを保存しておくことができる。
【００４７】
これによって、例えば、手術中の様子を外部にいる患者の家族や関係者などに見せたり、歯科治療を受ける子供の様子を親が待合室から観察できるようにすることができる。
また、歯科治療を受ける患者自身も、カメラ４０が撮影した映像により、自分の口腔内や歯の映像などを、治療等を受けながら視認することができる。
さらに、手術中の映像は、手術記録・手術情報として、例えば医療事故等が問題となったときの証拠として有用なものとなる。
【００４８】
ここで、カメラ４０は、図１０（ａ）に示すように、例えば中心パネル１０（又は周辺パネル２０）のパネル筐体１１（２１）にＣＣＤカメラ等が内蔵されるように構成することができる。
また、カメラ４０は、図１０（ｂ）に示すように、中心パネル１０（又は周辺パネル２０）の筐体外部に外付けされたＣＣＤカメラ等によって構成することもできる。
また、カメラ４０で撮像される撮像データは、静止画像であってもよく、また、動画映像であってもよい。
【００４９】
さらに、外付けのカメラ４０を備える場合に、カメラ４０を図３，４に示したハンドル部３２としても機能するに構成することができる。
図１１は、中心パネル１０のハンドル部３２としても使用される外付けのカメラ４０が備えられる場合を示しており、（ａ）は正面側から見た図、（ｂ）は背面側から見た図を示している。
同図に示すように、外付けのカメラ４０は、円筒状に構成され、後端部側が中心パネル１０の背面側に固定され、先端側（レンズ側）が中心パネル１０の正面側に向かって突出するように構成されている。そして、このようなカメラ４０は、図３，４に示した支持部３０を構成するハンドル部３２とほぼ同様に、背面アーム部３１に対して接続・固定されて、図示しない支柱部３３を含めた支持部３０の一部として構成され、ハンドル部３２と同様に機能するようになっている。
【００５０】
このような図１１に示す外付けのカメラ４０は、図１０（ａ），（ｂ）に示したカメラ４０と同様に撮像手段として機能すると同時に、前方に突出した棒状のカメラ４０の筐体部分が、医師，施術者等が手で把持・操作することが可能となり、図３，４に示したハンドル部３２として機能させることができる。
これによって、ハンドル部３２とカメラ４０をそれぞれ独立して設ける場合と比較して、部品点数を少なくすることができ、無影灯１の全体をコンパクトかつ低コストに構成することができるようになる。
【００５１】
図１２（ａ）は、本発明の他の実施形態に係る無影灯の発光面側から見た正面図であり、周辺パネル２０の発光面を複数の面状発光体で構成する場合を示している。
同図に示すように、周辺パネル２０（又は中心パネル１０）の面状発光体は、複数の面状発光体（有機ＥＬ）によって構成することができる。
図１などで示した実施形態では、中心パネル１０・周辺パネル２０に備えられる面状発光体は、単一（一つ）の面状発光体で構成される場合を示したが、図１２（ａ）に示すように、複数の面状発光体を配置して構成することもできる。
【００５２】
なお、複数の面状発光体で構成するのは、周辺パネル２０と中心パネル１０のいずれであってもよく、全ての周辺パネル２０・中心パネル１０であってもよく、また、一部であってもよい。
これによって、より柔軟に無影灯１の製造に対応することができるようになる。
【００５３】
図１２（ｂ）は、中心パネル１０の形状を三角形状とした場合を示している。
また、図１３（ａ）は、同じく中心パネル１０の形状を円形状とした場合を、また、図１３（ｂ）は同じく五角形状とした場合を示している。
これらの図に示すように、無影灯１の中心パネル１０の形状は、図１等で示した四角形（正方形）状のものに限定されず、様々な外形のものを採用することができる。
【００５４】
例えば、図１２（ｂ）に示すように、中心パネル１０を三角形状の面状発光パネルにより構成することができる。この場合には、三角形状の中心パネル１０の各辺に対応して、三つの周辺パネル２０ａ，２０ｂ，２０ｃを等間隔で備えることができる。
また、図１３（ａ）に示すように、中心パネル１０を円形状の面状発光パネルにより構成することができる。この場合には、円形状の中心パネル１０の周囲に、例えば９０度間隔で四つの周辺パネル２０ａ，２０ｂ，２０ｃ，２０ｄを備えることができる。
また、図１３（ｂ）に示すように、中心パネル１０を五角形状の面状発光パネルにより構成することができる。この場合には、五角形状の中心パネル１０の各辺に対応して、五つの周辺パネル２０ａ，２０ｂ，２０ｃ，２０ｄ，２０ｅを等間隔で備えることができる。
【００５５】
このように、本実施形態では、無影灯１の中心パネル１０の形状（外形）を、様々な形にすることができ、また、それに応じて、周辺パネル２０の数も増減させることができる。これによって、無影灯１の用途や要求性能，コスト等に応じて、柔軟な対応が可能となる。
なお、図１２，１３では特に図示していないが、周辺パネル２０についても、図１等で示した四角形（正方形）状のものに限定されず、様々な外形のものを採用することができる。また、複数の周辺パネル２０の外形を、それぞれ異ならせるようにすることも可能である。
また、以上説明した図９〜１３に示した無影灯１の変形例は、それぞれを任意に組み合わせて実施することも勿論可能である。例えば、図９に示したＬＥＤ１３と、図１０，１１で示したカメラ４０を組み合わせることもでき、また、ＬＥＤ１３やカメラ４０を、図１２，１３で示した無影灯１に備えることも可能である。
【００５６】
以上説明したように、本実施形態の無影灯１によれば、中心パネル１０を中心に、少なくとも３枚以上の複数の周辺パネル２０が展開・折り曲げ可能な状態で備えられることから、任意の周辺パネル２０を、任意の角度に展開し、また折り曲げることができる。
また、中心パネル１０は、周辺パネル２０と一体として、支持部３０によって支持され、支持部３０を介して任意の３次元方向に移動・回転できるようになっている。
これにより、無影灯１の発光面の角度や方向を自由に変更することができ、また、照明域や照度の調整等が容易に行え、影の発生も効果的に抑制できるようになる。
【００５７】
また、中心パネル１０・周辺パネル２０は、有機ＥＬパネルによって構成することができ、薄く軽量な有機ＥＬパネルの特性により、無影灯の構造自体を簡易かつ小型軽量なものとすることができ、医師等による取り扱いや操作性も向上させることができる。
さらに、発光・照明による発熱が微小な有機ＥＬパネルの特性により、照明時の患者等に与える輻射熱・放射熱の負担も大幅に低減乃至無視できる程度に除去することができ、利便性や快適性・安全性等にも優れた無影灯として提供することができるようになる。
【００５８】
以上、本発明の無影灯について一実施形態を示して説明したが、本発明に係る無影灯は、上述した実施形態のみに限定されるものではなく、本発明の範囲で種々の変更実施が可能であることは言うまでもない。
例えば、上述した実施形態では、本発明に係る無影灯は、歯科治療用や外科手術用の照明手段として使用される場合を例にとって説明したが、本発明の無影灯は、歯科治療・外科手術用に限定されるものではない。それ以外にも、例えば図１３にも示したように、美容用や理容用、化粧用の照明手段としても使用できる。
本発明の無影灯は、照明領域における無影性が要求される限り、照明手段としての使用目的・用途などは特に限定されない。
【００５９】
また、本発明に係る無影灯は、面状発光体として有機ＥＬを用いており、有機ＥＬパネルからなる中心パネルの周囲に、有機ＥＬからなる周辺パネルを少なくとも３枚配設される構造であれば、面状発光体自体の構成や機能・性能等については基本的には限定はない。有機ＥＬパネルを用いている限り、本発明に係る無影灯を好適に実施することができる。
【産業上の利用可能性】
【００６０】
本発明は、歯科治療用や医療手術用などの照明手段となる無影灯の使用分野・製造分野等において好適に利用することができる。
【符号の説明】
【００６１】
１  無影灯
１０  中心パネル
１１  パネル筐体
１２  面状発光体（有機ＥＬ）
２０  周辺パネル
２１  パネル筐体
２２  面状発光体（有機ＥＬ）
３０  支持部
３１  背面アーム部
３２  ハンドル部
３３  支柱部
４０  カメラ
【図１】
2015173851.tif 000003
【図２】
2015173851.tif 000004
【図３】
2015173851.tif 000005
【図４】
2015173851.tif 000006
【図５】
2015173851.tif 000007
【図６】
2015173851.tif 000008
【図７】
2015173851.tif 000009
【図８】
2015173851.tif 000010
【図９】
2015173851.tif 000011
【図１０】
2015173851.tif 000012
【図１１】
2015173851.tif 000013
【図１２】
2015173851.tif 000014
【図１３】
2015173851.tif 000015
【図１４】
2015173851.tif 000016
【図１５】
2015173851.tif 000017
【国際調査報告】
2015173851.tif 000018
2015173851.tif 000019
2015173851.tif 000020
2015173851.tif 000021
2015173851.tif 000022